【手続補正書】
【提出日】平成20年10月8日(2008.10.8)
【手続補正１】
【補正対象書類名】特許請求の範囲
【補正対象項目名】全文
【補正方法】変更
【補正の内容】
【特許請求の範囲】
【請求項１】
開口端部を有する輸送コンテナと共に使用される荷積みアッセンブリーであって、
前記コンテナの開口端部を通過して挿入される寸法の荷積箱であって、床と二つの側壁とを備えた荷積箱と、
前記荷積箱の中に入れられる先頭壁を含んだバリアアッセンブリーであって、前記荷積箱と前記バリアアッセンブリーとで一動作で前記輸送コンテナを満たすのに十分な寸法のパレット積みでない積み荷を収容できるような容積を構成するのに共働し、
前記荷積箱を支持する支持構造と、
前記荷積箱の一つに結合され、前記輸送コンテナの前記開口端部を通過して、前記荷積箱を実質的に前記輸送コンテナ内に収容し、該荷積箱を該輸送コンテナから離脱させるように作動するドライブ機構とを備え、
前記バリアアッセンブリーは、前記荷積箱が前記輸送コンテナ内に位置しているときにパレット積みでない積み荷を、前記コンテナの開口端部で拘束し、前記ドライブ機構がその後前記荷積箱を前記輸送コンテナから離脱させたとき、前記バリアアッセンブリの前記先頭壁が前記パレット積みでない積み荷を前記コンテナ内に留めるように構成されたことを特徴とする荷積みアッセンブリー。
【請求項２】
前記バリアーアッセンブリーは、積載前に、前記荷積箱対して、その荷積箱の内容積が前記輸送コンテナの寸法に適合するように位置決めされ得ることを特徴とする請求項１記載の荷積みアッセンブリー。
【請求項３】
荷積箱は、２０，０００ポンド（以下、１ポンド≒０．４５４ｋｇとする。）以上の積み荷に対応したものであることを特徴とする請求項１記載の荷積みアッセンブリー。
【請求項４】
荷積箱は、前記床の前端に設けられ、前記積み荷の離脱に際して、その積み荷が出るようにパレット積みでない積み荷を通過させる開位置に動く扉を備え、それによってコンテナ内に積み荷を留めることができることを特徴とする請求項１記載の荷積みアッセンブリー。
【請求項５】
荷積箱は、当初は前記床の前端に設けられ、開閉可能な前壁を備え、この前壁は、前記積み荷の離脱に際して、前記コンテナ内に留まるように構成されていることを特徴とする請求項１記載の荷積みアッセンブリー。
【請求項６】
バリアーアッセンブリーは、前記荷積箱の内容積が前記輸送コンテナの寸法に適合するように位置決めさるように構成されていることを特徴とする請求項１記載の荷積みアッセンブリー。
【請求項７】
前記ドライブ機構は、液圧シリンダーと、前記液圧シリンダーと荷積箱とに連結されたケーブルアッセンブリーとを備えていることを特徴とする請求項１記載の荷積みアッセンブリー。
【請求項８】
輸送コンテナに積み荷を積み込む方法であって、
荷積みアッセンブリーが前記コンテナの開口端部に近接するように前記コンテナ及び前記荷積みアッセンブリーを位置決めし、
荷積みアッセンブリーは、床と二つの側壁とを備えた荷積箱と、
前記荷積箱の中に入れられる先頭壁を含んだバリアアッセンブリーであって、前記荷積箱と前記バリアアッセンブリーとで一動作で前記輸送コンテナを満たすのに十分な寸法のパレット積みでない積み荷を収容できるような容積を構成するのに共働し、
前記荷積箱と前記バリアアッセンブリーとを前記輸送コンテナの前記開口端部近傍の位置で支持する支持構造とを備え、
前記荷積箱にその頂部開口からパレット積みでない積み荷を荷積みし、
前記荷積箱とパレット積みでない積み荷が前記コンテナ内に配置されるように、前記荷積箱を前記開口端部を通して前記輸送コンテナ内に対して位置させ、
前記バリアアッセンブリーでパレット積みでない積み荷を拘束し、前記荷積箱と前記輸送コンテナとを相対的に位置変更させて前記荷積箱を前記輸送コンテナの開口端部に近接した位置に配置し、これにより前記パレット積みでない積み荷が前記輸送コンテナ内に配置されて留まるようにすることを特徴とする方法。
【請求項９】
荷積みアッセンブリーが、前記拘束工程の間、前記荷積箱を前記輸送コンテナに対して離脱させるドライブ機構を備えていることを特徴とする請求項８記載の方法。
【請求項１０】
前記荷積箱を前記輸送コンテナ内に位置させる工程が、前記ドライブ機構が前記荷積箱を前記開口端部を通して前記輸送コンテナの中へ前記パレット積みでない積み荷が完全に前記輸送コンテナに配置されるまで動作させる工程を含み、その間前記輸送コンテナは静止状態を保っており、
前記拘束工程が、前記バリアーアッセンブリーを前記支持構造に拘束し、前記輸送コンテナの開口端部の近傍に前記バリアーアッセンブリーを固定する工程を含み、
前記拘束工程が、更に、前記ドライブ機構を、前記バリアーアッセンブリーに前記パレット積みでない積み荷の拘束状態を維持させながら、このパレット積みでない積み荷が前記輸送コンテナ内に残るように、前記荷積箱を前記輸送コンテナから離脱させるように作動させる工程を含むことを特徴とする請求項９記載の方法。
【請求項１１】
更に、前記支持構造から前記バリアアッセンブリーを非拘束とし、前記荷積箱内に配置された状態で、前記バリアアッセンブリーを待機位置までスライドさせることを特徴とする請求項１０記載の方法。
【請求項１２】
前記ドライブ機構は、液圧シリンダーと、前記液圧シリンダーと荷積箱とに連結されたケーブルアッセンブリーとを備えていることを特徴とする請求項１０記載の方法。
【請求項１３】
前記支持構造が、前記荷積箱の対向する側面に配置された側面支持部を備えていることを特徴とする請求項８記載の方法。
【請求項１４】
前記バリアアッセンブリーは、更に、前記バリアアッセンブリーの先頭壁に連結され、前記支持構造の側面支持部に支持された補強材を備えていることを特徴とする請求項１３記載の方法。
【請求項１５】
開口端部を有する輸送コンテナと共に使用される荷積みアッセンブリーであって、
前記コンテナの開口端部を通過して挿入される寸法の荷積箱であって、床と二つの側壁とを備えた荷積箱と、
前記荷積箱の中に入れられ、前記荷積箱の内寸法に一致する先頭壁であって、前記先頭壁に連結された補強材を含んだバリアアッセンブリーと、
前記荷積箱と前記バリアアッセンブリーとで一動作で前記輸送コンテナを満たすのに十分な寸法のパレット積みでない積み荷を収容できるような容積を構成するのに共働し、更に、前記荷積箱と前記バリアアッセンブリーとはパレット積みでない積み荷のための頂部開口を形成するために共働し、
前記荷積箱に配置された支持構造と、
前記荷積箱の一つに結合され、前記輸送コンテナの前記開口端部を通過して、前記荷積箱を実質的に前記輸送コンテナ内に収容し、該荷積箱を該輸送コンテナから離脱させるように作動するドライブ機構とを備え、
前記バリアアッセンブリーは、前記荷積箱が前記輸送コンテナ内に位置しているときにパレット積みでない積み荷を、前記コンテナの開口端部で拘束し、前記ドライブ機構がその後前記荷積箱を前記輸送コンテナから離脱させたとき、前記バリアアッセンブリの前記先頭壁が前記パレット積みでない積み荷を前記コンテナ内に留めるように構成されたことを特徴とする荷積みアッセンブリー。
【請求項１６】
前記ドライブ機構は、液圧シリンダーと、前記液圧シリンダーと荷積箱とに連結されたケーブルアッセンブリーとを備えていることを特徴とする請求項１５記載の荷積みアッセンブリー。
【請求項１７】
荷積箱は、前記床の前端に設けられ、前記積み荷の離脱に際して、その積み荷が出るようにパレット積みでない積み荷を通過させる開位置に動く扉を備えていることを特徴とする請求項１５記載の荷積みアッセンブリー。
【請求項１８】
前記荷積箱から伸び出し、前記支持構造の側面支持部に支持された補強材を備えていることを特徴とする請求項１５記載の荷積みアッセンブリー。
【請求項１９】
前記支持構造は、前記バリアアッセンブリーの動作サイクルにおいて、このバリアアッセンブリーの移動範囲を通して該バリアアッセンブリーを支持することを特徴とする請求項１８記載の荷積みアッセンブリー。
【請求項２０】
前記ドライブ機構は、前記輸送コンテナからの前記荷積箱の離脱の間、前記支持構造内において前記荷積箱を引き込むように動作することを特徴とする請求項１５記載の荷積みアッセンブリー。